(57)【要約】 本発明に係る注液式空気電池Ａ１は、電解質ａを貯留する電解質貯留容器３０と、その電解質ａと混合されて電解液ｃを生成するための水ｂを貯留するための貯液貯水容器２０と、それら電解質ａと水ｂとを混合生成した電解液ｃを注入されることにより発電する空気電池形成体１０とを有する。
2014006989.tif 000002
【特許請求の範囲】
【請求項１】
電解質を貯留する電解質貯留容器と、
その電解質と混合されて電解液を生成するための液を貯留するための貯液容器と、
それら電解質と液とを混合生成した電解液を注入されることにより発電する空気電池形成体とを有し、
電解質貯留容器、貯液容器及び空気電池形成体を、電解液の生成又はその注入の際に互いに連通させるようにしていることを特徴とする注液式空気電池。
【請求項２】
電解質貯留容器内の電解質と貯液容器内の液とを混合するための混合部を有している請求項１に記載の注液式空気電池。
【請求項３】
貯液容器内に電解質貯留容器を配設している請求項１又は２に記載の注液式空気電池。
【請求項４】
混合部は、貯液容器と電解質貯留容器との間に配設した電磁開閉弁である請求項１〜３のいずれか１項に記載の注液式空気電池。
【請求項５】
混合部は、貯液容器と電解質貯留容器との間に配設され、貯液容器の変形によって開く逆止弁である請求項１〜３のいずれか１項に記載の注液式空気電池。
【請求項６】
貯液容器内に電解質貯留容器が配設されており、
混合部は、貯液容器と電解質貯留容器と間に配設され、貯液容器の変形によって電解質貯留容器を穿孔するための穿刺部材である請求項１〜３のいずれか１項に記載の注液式空気電池。
【請求項７】
空気電池形成体に送給される電解液を攪拌するための電解液攪拌部を設けている請求項１〜６のいずれか１項に記載の注液式空気電池。
【請求項８】
請求項１〜７のいずれか１項に記載の空気電池形成体と、貯液容器及び電解質貯留容器を別体に形成しておき、
二つ以上の空気電池形成体を収容する大きさのカートリッジボックスに、これに装着される空気電池形成体に連通するように貯液容器と電解質貯留容器を配設していることを特徴とする注液式カードリッジ型空気電池。
【発明の詳細な説明】
【技術分野】
【０００１】
本発明は、注液式空気電池と注液式カードリッジ型空気電池に関する。
【背景技術】
【０００２】
この種の従来技術として、特許文献１に「注水式空気電池」とした名称において開示された構成のものがある。
特許文献１に開示されている注水式空気電池は、防水処理を施した多孔質陽極と、この陽極の外側に配設された亜鉛陰極と、この亜鉛陰極および前記陽極を内蔵した電槽と、前記陽極と亜鉛陰極との間に配設された固型状の電解質とを有し、前記陽極の反応面を固型状の電解質で覆ったことを特徴としたものである。
上記陽極としては、焼成炭素陽極や無焼成炭素陽極を用いたものの他、亜鉛陰極として、固型電解質で覆った亜鉛陰極を用いたものが記載されている。
【先行技術文献】
【特許文献】
【０００３】
【特許文献１】日本国特公昭６２−４７３４８号公報
【発明の概要】
【発明が解決しようとする課題】
【０００４】
特許文献１に開示されている注水式空気電池は、固体電解質を使用することで電極と電解質とを一定の距離に保持し、未使用、保守の間は電極と電解質の接触を回避して電解質がもたらす電極への化学作用を防止するものである。しかしながら雰囲気によって固体電解質であっても潮解などが発生した場合には電極と接触して電極を劣化させるおそれがある。【０００５】
そこで本発明は、簡易な構成にしながら、電極の劣化を防止できる注液式空気電池と注液式カードリッジ型空気電池の提供を目的としている。
【課題を解決するための手段】
【０００６】
上記課題を解決するための本発明に係る注液式空気電池は、電解質を貯留する電解質貯留容器と、その電解質と混合して電解液を生成するための液を貯留するための貯液容器と、それら電解質と液とを混合生成した電解液を注入されることにより発電する空気電池形成体とを有し、電解質貯留容器、貯液容器及び空気電池形成体を、電解液の生成又はその注入の際に互いに連通させるようにしている。【０００７】
この構成においては、電解質貯留容器、貯液容器及び空気電池形成体を、電解液の生成又は注入の際に互いに連通させることにより、電解質貯留容器の電解質と貯液容器の液と混合して電解液を生成し、その生成した電解液を空気電池形成体に注入して発電を行なわせる。【０００８】
同上の課題を解決するための本発明に係る注液式カートリッジ型空気電池は、上記した空気電池形成体と、貯液容器及び電解質貯留容器を別体に形成しておき、二つ以上の空気電池形成体を収容する大きさのカートリッジボックスに、これに装着される空気電池形成体に連通するように貯液容器と電解質貯留容器を配設したものである。
この構成においては、カートリッジボックスに空気電池形成体を装着し、電解質貯留容器の電解質と貯液容器の液と混合して電解液を生成し、その生成した電解液を空気電池形成体に注入して発電を行なわせる。
【発明の効果】
【０００９】
本発明によれば、簡易な構成にしながら、電極の劣化を防止することができる。
【図面の簡単な説明】
【００１０】
【図１】本発明の第一の実施形態に係る注液式空気電池を示すものであり、（Ａ）は、注液を開始する前の状態を示す概略断面図、（Ｂ）は、注液を開始した後の状態を示す概略断面図、（Ｃ）は、空気電池形成体に電解液を注入している状態の概略断面図である。
【図２】第二の実施形態に係る注液式空気電池の概略断面図である。
【図３】第三の実施形態に係る注液式空気電池の概略断面図である。
【図４】第四の実施形態に係る注液式空気電池の概略断面図である。
【図５】（Ａ）は、第五の実施形態に係る注液式空気電池の概略断面図、（Ｂ）は、貯液容器を押圧するときの概略断面図、（Ｃ）は、貯液容器を押圧変形させ始めたときの概略断面図、（Ｄ）は、貯液容器を押圧変形させ終えたときの概略断面図である。
【図６】第六の実施形態に係る注液式空気電池の概略断面図である。
【図７】第七の実施形態に係る注液式空気電池の概略断面図である。
【図８】第八の実施形態に係る注液式空気電池の概略断面図である。
【図９】第九の実施形態に係る注液式空気電池の概略断面図である。
【図１０】第十の実施形態に係る注液式空気電池の概略断面図である。
【図１１】（Ａ）は、第十一の実施形態に係る注液式空気電池の概略断面図、（Ｂ）は、電解質貯留容器を穿刺部材によって穿孔する状態を示す概略断面図である。
【図１２】第十二の実施形態に係る注液式空気電池の概略断面図である。
【図１３】第十三の実施形態に係る注液式空気電池の概略断面図である。
【発明を実施するための形態】
【００１１】
以下に、本発明を実施するための形態について、図面を参照して説明する。図１は、本発明の第一の実施形態に係る注液式空気電池を示すものであり、（Ａ）は、注液を開始する前の状態を示す概略断面図、（Ｂ）は、注液を開始した後の状態を示す概略断面図、（Ｃ）は、空気電池形成体に電解液を注入している状態の概略断面図である。
【００１２】
本発明の第一の実施形態に係る注液式空気電池Ａ１は、空気電池形成体１０、貯液容器２０及び電解質貯留容器３０を有し、それら電解質貯留容器３０、貯液容器２０及び空気電池形成体１０を、電解液ｃの生成又は注入の際に互いに連通させるようにしたものであり、それらの詳細は、以下のとおりである。
【００１３】
まず、空気電池形成体１０は、電解液ｃを注入されることにより発電するものであり、器体１１に発電部Ｂを収容した構成のものである。
器体１１は、平面視方形にした底壁１２の三つの側縁部に沿って側壁を一体にして起立形成しているとともに、一つの側面１３を開口している。
側面１３には、電解質貯留容器３０を介して貯液容器２０が連結されている。
【００１４】
電解質貯留容器３０は、電解質ａのみを貯留しておくものであり、貯液容器２０との境に混合部４０が配設されている。
混合部４０は、電解質貯留容器３０内の電解質ａと貯液容器２０内の液ｂとを混合し、かつ、混合生成した電解液ｃを空気電池形成体１０に流入することを許容させるためのものである。
「液」は、電解液ｃを生成するためのものであり、本実施形態においては「水」を例として説明し、以下には「液」を「水」と表記する。
【００１５】
本実施形態においては、貯液容器２０と電解質貯留容器３０との間、及び側面１３と電解質貯留容器３０の間にそれぞれ逆止弁４１，４２を配設した構成になっており、それらは、貯液容器２０の押圧変形による内部圧力の増加によって開くようになっている。
【００１６】
貯液容器２０は、所要量の水が貯留できるようになっており、例えばポリプロピレン、ポリエチレン等の樹脂製のものであり、所定の外部圧力の作用によって変形可能なものである。
発電部Ｂは、保護層５０、撥水層５１、正極層５２、電解質層５３及び負極層５４を順に積層させた構成のものである。
【００１７】
空気電池形成体１０に発電を行なわせるときの動作について説明する。
図１（Ａ）に示すように、貯液容器２０を押圧するまでは、電解質ａが貯液容器２０内の水と接触しないように逆止弁４１によって保たれている。
発電を行なわせようとするときには、貯液容器２０を押圧する。この押圧によって貯液容器２０が変形して内部圧力が高まり、同図（Ｂ）に示すように逆止弁４１が開かれて、貯液容器２０と電解質貯留容器３０が連通するとともに、逆止弁４２も開かれて電解質貯留容器３０と空気電池形成体１０とも連通した状態になる。
【００１８】
逆止弁４１が開かれると、貯液容器２０から流出した水ｂが電解質貯留容器３０内の電解質ａと混合されて電解液ｃとなり、貯液容器２０の押圧変形に伴って器体１０内に流入する。
器体１０内に流入した電解液ｃは、発電部Ｂの全域に速やかに拡散浸透し、これにより、空気電池形成体１０における発電が開始されることになる。
【００１９】
以上の構成からなる注液式空気電池Ａ１によれば、発電を開始させるまで、電解質ａと水ｂとを離隔しておけるので、電解質ａの潮解による負極溶解を回避し、また、容量の利用率を向上させることができる。
【００２０】
なお、本実施形態では、電解液ｃの生成にあたり、液として水ｂを例として説明したが、必ずしも水である必要はなく、電解質ａと混合されて空気電池の電解液ｃを形成できる液体であればよい。
【００２１】
例えばプロピレンカーボネート、ジメトキシエタン、アセトニトリル、テトラヒドロフラン、エチレンカーボネート、エチルメチルカーボネート等の非水系電解液、N-メチル-N-プロピルピペリジニウム・ビストリフルオロメタンスルフォニルアミドなどのイオン性液体等の液体がある。以下に説明する各実施形態についても同様である。
【００２２】
図２〜４を参照して、第二〜第四の実施形態に係る注液式空気電池について説明する。図２は、第二の実施形態に係る注液式空気電池の概略断面図、図３は、第三の実施形態に係る注液式空気電池の概略断面図、図４は、第四の実施形態に係る注液式空気電池の概略断面図である。なお、上述した実施形態において説明したものと同等のものについては、それらと同一の符号を付して説明を省略する。
【００２３】
第二の実施形態に係る注液式空気電池Ａ２は、貯液容器２０を介して電解質貯留容器３０を空気電池形成体１０に連結した構成のものである。
本実施形態においても、逆止弁４１を貯液容器２０と電解質貯留容器３０との間に配設しているとともに、電解質貯留容器３０と側面１３との間に逆止弁４２を配設している。
【００２４】
第三の実施形態に係る注液式空気電池Ａ３は、発電部Ｂの上部に貯液容器２０を配設しているとともに、電解質貯留容器３０を器体１１の側面１３に配設した構成のものである。
この場合、貯液容器２０と電解質貯留容器３０との間に逆止弁４１を配設しているとともに、側面１３と電解質貯留容器２０との間に逆止弁４２を配設している。
【００２５】
第四の実施形態に係る注液式空気電池Ａ４は、電解質貯留容器３０と貯液容器２０´とを、空気電池形成体１０と別体にして形成したものであり、本実施形態においては、電解質貯留容器３０と貯液容器２０とを一体にして形成している。
貯液容器２０´は、必要に応じて注液するようにした構成のものであり、その上側を開口した構成のものである。
【００２６】
次に、図５〜８を参照して、第五〜第八の実施形態に係る注液式空気電池について説明する。図５（Ａ）は、第五の実施形態に係る注液式空気電池の概略断面図、（Ｂ）は、貯液容器を押圧するときの概略断面図、（Ｃ）は、貯液容器を押圧変形させ始めたときの概略断面図、（Ｄ）は、貯液容器を押圧変形させ終えたときの概略断面図である。また、図６は、第六の実施形態に係る注液式空気電池の概略断面図、図７は、第七の実施形態に係る注液式空気電池の概略断面図、図８は、第八の実施形態に係る注液式空気電池の概略断面図である。なお、上述したいずれかの実施形態において説明したものと同等のものについては、それらと同一の符号を付して説明を省略する。
【００２７】
第五の実施形態に係る注液式空気電池Ａ５は、図５に示すように、貯液容器２０内に電解質貯留容器３０を配設した構成のものであり、本実施形態においては、電解質貯留容器３０を器体１０の側面１３に配設している。
【００２８】
この構成においては、電解質貯留容器３０の側壁３０ｂに逆止弁４１を配設するとともに、側面１３と電解質貯留容器２０との間に逆止弁４２を配設している。なお、逆止弁４１は側壁３０ｂに配設してもよい。
【００２９】
空気電池形成体１０に発電を行なわせるときの動作について説明する。
図５（Ａ）に示すように、貯液容器２０を押圧するまでは、電解質ａが貯液容器２０内の水ｂと接触しないように逆止弁４１によって保たれている。
発電を行なわせようとするときには、同図（Ｂ）に示すように、貯液容器２０を押圧する。
【００３０】
貯液容器２０を押圧すると、同図（Ｃ）に示すように、貯液容器２０が変形して内部圧力が高まり、電解質貯留容器３０の逆止弁４１が開かれるとともに、貯液容器２０と電解質貯留容器３０が連通する。
【００３１】
当該連通によって、貯液容器２０内の水ｂと電解質貯留容器３０内の電解質ａとが混合されて電解液ｃが生成されるとともに、同図（Ｄ）に示すように、逆止弁４２も開かれて電解質貯留容器３０と空気電池形成体１０とも連通し、混合生成された電解液ｃが空気電池形成体１０に流入して発電が開始される。
【００３２】
第六の実施形態に係る注液式空気電池Ａ６は、図６に示すように、貯液容器２０内に電解質貯留容器３０を配設した構成のものであることは上記注液式空気電池Ａ５と同様であるが、本実施形態においては、電解質貯留容器３０を側面１３に対向する側壁２０ａ側に配設している。
【００３３】
この構成においては、電解質貯留容器３０の上壁３０ａに逆止弁４１を配設するとともに、側面１３と電解質貯留容器２０との間に逆止弁４２を配設している。なお、逆止弁４１は側壁３０ｂに配設してもよいことは、上記したものと同様である。
【００３４】
第七の実施形態に係る注液式空気電池Ａ７は、図７に示すように、貯液容器２０内に電解質貯留容器３０を配設した構成のものであることは上記した注液式空気電池Ａ５，Ａ６と同様であるが、本実施形態においては、電解質貯留容器３０を貯液容器２０の底壁２０ｂの中間部に配設している。
【００３５】
この構成においては、電解質貯留容器３０の上壁３０ａに逆止弁４１を配設するとともに、側面１３と電解質貯留容器２０との間に逆止弁４２を配設している。なお、逆止弁４１は側壁３０ｂ又は側壁３０ｃに配設してもよいことは、上記したものと同様である。
【００３６】
第八の実施形態に係る注液式空気電池Ａ８は、図８に示すように、互いに同形同大の平面視円形に形成した四つの空気電池形成体１０´と、これらの空気電池形成体１０´の内方に上記したものと同等の貯液容器２０´と電解質貯留容器３０´とを配設したものである。
【００３７】
四つの空気電池形成体１０´は、互いに所要の間隙Ｓを保持し、かつ、軸心Ｏを中心とした同軸的に積層させているとともに、その軸心Ｏに一致して共通の上記貯液容器２０´と電解質貯留容器３０´とを配設している。
【００３８】
なお、四つの空気電池形成体１０´に共通の貯液容器２０´と電解質貯留容器３０´とを設けた構成に限らず、各空気電池形成体１０´にそれぞれ貯液容器２０´と電解質貯留容器３０´とを個別に設けた構成にしてもよい。
【００３９】
貯液容器２０´は縦長円筒形に形成されているとともに、この内部に、同じく縦長円筒形にした電解質貯留容器３０´を同軸的に内設している。
各空気電池形成体１０´の側面１３´と貯液容器２０´の側壁との間には、それぞれ電磁開閉弁６０が配設されており、それら各電磁開閉弁６０は図示しないコントローラによって開駆動されるようになっている。
電磁開閉弁６０をコントローラによって開駆動することにより、所望のタイミングで電解質ａと水ｂとを混合させることができる。
【００４０】
上述した第五〜第八の実施形態に係る注液式空気電池Ａ５〜Ａ８によれば、上記した効果に加えて、電解質貯留容器３０，３０´が外部から衝撃を受けにくく、電解質が強アルカリの場合、電解液又は電解質が外部に漏出しにくいために、周辺部材の腐食を回避できる。
【００４１】
次に、図９，１０を参照して、第九〜第十の実施形態に係る注液式空気電池について説明する。図９は、第九の実施形態に係る注液式空気電池の概略断面図、図１０は、第十の実施形態に係る注液式空気電池の概略断面図である。
【００４２】
第九の実施形態に係る注液式空気電池Ａ９は、図１において説明したものと同等の構成において、貯液容器２０と電解質貯留容器３０との間に電磁開閉弁６０を配設したものであり、その電磁開閉弁６０は図示しないコントローラによって開駆動されるようになっている。
【００４３】
第十の実施形態に係る注液式空気電池Ａ１０は、図５において説明したものと同等の構成において、貯液容器２０と電解質貯留容器３０との間に電磁開閉弁６０を配設したものであり、その電磁開閉弁６０は図示しないコントローラによって開駆動されるようになっている。
上述した第九，第十の実施形態に係る注液式空気電池Ａ９，Ａ１０によれば、上記した効果に加えて、電磁開閉弁６０をコントローラによって開駆動することにより、所望のタイミングで電解質ａと水ｂとを混合させることができる。
【００４４】
図１１（Ａ）は、第十一の実施形態に係る注液式空気電池の概略断面図、（Ｂ）は、その注液式空気電池の一部をなす電解質貯留容器を穿刺部材によって穿孔する状態を示す概略断面図である。
なお、上述した各実施形態において説明したものと同等のものについては、それらと同一の符号を付して説明を省略する。
【００４５】
第十一の実施形態に係る注液式空気電池Ａ１１は、図８において説明したものと同等の構成において、貯液容器２０´と電解質貯留容器３０´の各上壁との間に、その貯液容器２０を変形させることにより電解質貯留容器３０´を貫通して穿孔させるための穿刺部材７０を配設した構成のものである。
【００４６】
図１１に示すように、穿刺部材７０は、貯液容器２０´と電解質貯留容器３０´との間に配設されており、その基部（図示上部）を貯液容器２０´の上壁内面に固定され、鋭角にした先端部（図示下部）を電解質貯留容器３０´に対向当接させている。
【００４７】
この場合、貯液容器２０´を押圧変形させることにより、電解質貯留容器３０´の上壁に穿刺部材７０が突き刺さり、その上壁を穿孔する。これにより、貯液容器２０´内の水ｂと電解質貯留容器３０´内の電解質ａとが混合されて電解液ｃが生成される。
上述した穿刺部材７０を配設することより、例えば図１に示した実施形態Ａ７よりもいっそう確実に電解液ｃを混合生成することができる。なお穿刺部材７０は、図１〜７に示した実施形態Ａ１〜Ａ７に対しても同様に配置可能である。
【００４８】
図１２は、第十二の実施形態に係る注液式空気電池の概略断面図である。なお、上述した実施形態において説明したものと同等のものについては、それらと同一の符号を付して説明を省略する。
【００４９】
第十二の実施形態に係る注液式空気電池Ａ１２は、図５に示すものと同等の構成からなるものであり、本実施形態においては、空気電池形成体１０の内壁面１３と電解質貯留容器３０との間に、生成した電解液を攪拌するための電解液攪拌部８０を配設したものである。
【００５０】
電解液攪拌部８０は、例えばディフューザ、フィルタ又は攪拌用羽根であり、これらにより、空気電池形成体１０に流入する電解液を攪拌して、その電解質の溶解を促進させている。
これにより、電解液をより迅速に溶解させることができるとともに、電解液のムラを抑え、放電ムラによる放電ロスを軽減させることができる。
なお、電解液攪拌部８０は、図１〜４、６、７に示した実施形態Ａ１〜Ａ４、Ａ６、Ａ７に対しても同様に配置可能である。
【００５１】
次に、図１３を参照して、第十三の実施形態に係る注液式空気電池について説明する。図１３は、第十三の実施形態に係る注液式空気電池の概略断面図である。なお、上述した実施形態において説明したものと同等のものについては、それらと同一の符号を付して説明を省略する。
【００５２】
第十三の実施形態に係る注液式空気電池Ａ１３は、上記したものと同等の五つの空気電池形成体１０、カートリッジボックス９０、五つの貯液容器２０及びそれら各貯液容器２０内に配設した電解質貯留容器３０を有して構成されている。
【００５３】
カートリッジボックス９０は、五つの空気電池形成体１０を収容できる大きさにしたものであり、一側面９０ａを開口した直方体形のものである。
カートリッジボックス９０の一側面９０ａに対向する壁面９０ｂには、貯液容器２０と電解質貯留容器３０を一体にして固定している。
【００５４】
この構成においては、使用するときに、空気電池形成体１０を電解質貯留容器３０に連結する。この連結により、貯液容器２０内の水ｂと電解質貯留容器３０内の電解質ａとが混合されて電解液が生成されるようになっている。
【００５５】
この構成においては、貯液容器２０と電解質貯留容器３０とをカートリッジボックス９０に配設しているので、持ち運びを容易に行なえるとともに、小型，軽量化を図ることができる。
【００５６】
なお、本発明は上述した実施形態に限るものではなく、次のような変形実施が可能である。
以上詳細に説明したが、いずれにしても、上記各実施形態において説明した各構成は、それら各実施形態にのみ適用することに限らず、一の実施形態において説明した構成を、他の実施形態に準用若しくは適用し、さらには、それを任意に組み合わせることができるものである。
【符号の説明】
【００５７】
１０，１０´      空気電池形成体
２０，２０´      貯液容器
３０，３０´      電解質貯留容器
４１，４２        逆止弁（混合部）
６０              電磁開閉弁（混合部）
７０              穿刺部材
８０              電解液攪拌部
９０              カートリッジボックス
Ａ１〜Ａ１２      注液式空気電池
Ａ１３            注液式カードリッジ型空気電池
ａ                電解質
ｂ                水（液）
ｃ                電解液
【図１】
2014006989.tif 000003
【図２】
2014006989.tif 000004
【図３】
2014006989.tif 000005
【図４】
2014006989.tif 000006
【図５】
2014006989.tif 000007
【図６】
2014006989.tif 000008
【図７】
2014006989.tif 000009
【図８】
2014006989.tif 000010
【図９】
2014006989.tif 000011
【図１０】
2014006989.tif 000012
【図１１】
2014006989.tif 000013
【図１２】
2014006989.tif 000014
【図１３】
2014006989.tif 000015
【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
電解質を貯留する電解質貯留容器と、
その電解質と混合されて電解液を生成するための液を貯留するための貯液容器と、
それら電解質と液とを混合生成した電解液を注入されることにより発電する空気電池形成体とを有し、
貯液容器内に電解質貯留容器を配設しており、
電解質貯留容器、貯液容器及び空気電池形成体を、電解液の生成又はその注入の際に互いに連通させるようにしていることを特徴とする注液式空気電池。
【請求項２】
電解質貯留容器内の電解質と貯液容器内の液とを混合するための混合部を有している請求項１に記載の注液式空気電池。
【請求項３】
（削除）
【請求項４】
混合部は、貯液容器と電解質貯留容器との間に配設した電磁開閉弁である請求項１又は２に記載の注液式空気電池。
【請求項５】
混合部は、貯液容器と電解質貯留容器との間に配設され、貯液容器の変形によって開く逆止弁である請求項１、２、４のいずれか１項に記載の注液式空気電池。
【請求項６】
貯液容器内に電解質貯留容器が配設されており、
混合部は、貯液容器と電解質貯留容器と間に配設され、貯液容器の変形によって電解質貯留容器を穿孔するための穿刺部材である請求項１又は２に記載の注液式空気電池。
【請求項７】
空気電池形成体に送給される電解液を攪拌するための電解液攪拌部を設けている請求項１、２、４〜６のいずれか１項に記載の注液式空気電池。
【請求項８】
請求項１、２、４〜７のいずれか１項に記載の空気電池形成体と、貯液容器及び電解質貯留容器を別体に形成しておき、
二つ以上の空気電池形成体を収容する大きさのカートリッジボックスに、これに装着される空気電池形成体に連通するように貯液容器と電解質貯留容器を配設していることを特徴とする注液式カードリッジ型空気電池。
【手続補正２】
【補正対象書類名】明細書
【補正対象項目名】０００２
【補正方法】変更
【補正の内容】
【０００２】
課題を解決するための手段
［０００６］
上記課題を解決するための本発明に係る注液式空気電池は、電解質を貯留する電解質貯留容器と、その電解質と混合して電解液を生成するための液を貯留するための貯液容器と、それら電解質と液とを混合生成した電解液を注入されることにより発電する空気電池形成体とを有し、貯液容器内に電解質貯留容器を配設しており、電解質貯留容器、貯液容器及び空気電池形成体を、電解液の生成又はその注入の際に互いに連通させるようにしている。
［０００７］
この構成においては、電解質貯留容器、貯液容器及び空気電池形成体を、電解液の生成又は注入の際に互いに連通させることにより、電解質貯留容器の電解質と貯液容器の液と混合して電解液を生成し、その生成した電解液を空気電池形成体に注入して発電を行なわせる。
［０００８］
同上の課題を解決するための本発明に係る注液式カートリッジ型空気電池は、上記した空気電池形成体と、貯液容器及び電解質貯留容器を別体に形成しておき、二つ以上の空気電池形成体を収容する大きさのカートリッジボックスに、これに装着される空気電池形成体に連通するように貯液容器と電解質貯留容器を配設したものである。
この構成においては、カートリッジボックスに空気電池形成体を装着し、電解質貯留容器の電解質と貯液容器の液と混合して電解液を生成し、その生成した電解液を空気電池形成体に注入して発電を行なわせる。
発明の効果
［０００９］
本発明によれば、簡易な構成にしながら、電極の劣化を防止することができる。
図面の簡単な説明
［００１０］
［図１］本発明の第一の実施形態に係る注液式空気電池を示すものであり、（Ａ）は、注液を開始する前の状態を示す概略断面図、（Ｂ）は、注液を開始した後の状態を示す概略断面図、（Ｃ）は、空気電池形成体に電解液を注入している状態の概略断面図である。
［図２］第二の実施形態に係る注液式空気電池の概略断面図である。
【国際調査報告】
2014006989.tif 000016
2014006989.tif 000017
2014006989.tif 000018
2014006989.tif 000019